(57)【特許請求の範囲】
【請求項１】
内周側より外周側に向かって試し書き領域、バッファ領域、リードイン領域、プログラム領域及びリードアウト領域が設けられているディスクを角速度一定の状態にて回転させた状態にて信号の記録動作を行うように構成されている光ディスク記録再生装置において、試し書き領域及びリードアウト領域の外側にある外周領域にテスト信号を記録するとともに記録されたテスト信号を再生することによってレーザー出力値の設定動作を行うようにし、ディスクの交換が行われるまで前記試し書き領域にて設定されたレーザー出力値及び外周領域にて設定されたレーザー出力値をそれぞれメモリー回路に記憶保持するようにするとともに、記録動作終了後所定時間経過したとき、前記メモリー回路に記憶保持されたレーザー出力値の消去動作を行うようにしたことを特徴とする光ディスク記録再生装置のレーザー出力設定方法。
【発明の詳細な説明】
【０００１】
【発明の属する技術分野】
本発明は、光学式ピックアップより照射されるレーザーによってディスクに信号を記録するとともにレーザーによってディスクに記録されている信号の再生動作を行うように構成された光ディスク記録再生装置に関する。
【０００２】
【従来の技術】
光学式ピックアップを用いてディスクに記録されている信号の再生動作を行うディスクプレーヤーが普及しているが、最近では、再生機能に加えて光学式ピックアップより照射されるレーザーによってディスクに信号を記録することが出来るように構成された光ディスク記録再生装置が商品化されている。
【０００３】
斯かる光ディスク記録再生装置では、レーザーによってディスク上にピットを形成するように構成されているが、レーザーの出力が最適でなかった場合には、ピットの形状が大きすぎたり小さすぎたりすることになる。そのため、斯かる光ディスク記録再生装置に使用されるディスクには、最内周側に試し書き領域が設けられており、その試し書き領域に信号を記録した後再生し、その再生信号を検出することによって記録のためのレーザー出力を設定するように構成されているが、斯かる技術としては、例えば特開平６−７６２８８号公報に開示されたものがある。
【０００４】
【発明が解決しようとする課題】
ディスクへの信号の記録動作は、規定の線速度一定の状態ではなく、規定の線速度の４倍、６倍、８倍、１０倍及び１２倍等の線速度一定の状態にて記録動作を行うことが出来る技術が開発されている。線速度一定の状態にて記録動作を行う場合、ディスクを回転駆動するスピンドルモーターによる回転速度制御動作を正確に行う必要があるので、より高速の線速度による記録動作を行うことは非常に困難である。
【０００５】
斯かる点を改良した技術として記録動作時におけるディスクの回転速度制御動作を線速度一定ではなく角速度一定の状態にて行うようにした技術が開発されている。角速度一定の状態にて回転駆動されるディスクの線速度は、内周側と外周側とでは、その速度が大きく相違するため、各速度における記録動作に適したレーザー出力を設定することは非常に困難である。
【０００６】
本発明は、斯かる問題を解決したレーザー出力設定方法を提供しようとするものである。
【０００７】
【作用】
本発明は、内周側より外周側に向かって試し書き領域、バッファ領域、リードイン領域、プログラム領域及びリードアウト領域が設けられているディスクを角速度一定の状態にて回転させた状態にて信号の記録動作を行うように構成されている光ディスク記録再生装置において、試し書き領域及びリードアウト領域の外側にある外周領域にテスト信号を記録するとともに記録されたテスト信号を再生することによってレーザー出力値の設定動作を行うようにしたものである。
【０００８】
【実施例】
図１は本発明に係る光ディスク記録再生装置の一実施例を示すブロック回路図、図２は本発明に係るディスクの各領域を説明するための図である。
【０００９】
まず、ディスクに設けられている各領域について図２を参照して説明する。図２において、Ａはディスクの内周側に設けられている試し書き領域であり、テスト信号を記録するとともにその記録されたテスト信号を再生することによってレーザー出力を設定するために設けられている。Ｂはその外周側に設けられているバッファ領域であり、信号の記録動作を行う場合に記録位置等を示す情報等を記録するために設けられている。Ｃ、Ｄ及びＥは、各々御前記バッファ領域Ｂの外周側に設けられているとともにＴＯＣデータが記録されるリードイン領域、信号が記録されるプログラム領域及び記録領域の最外周を示すリードアウト領域である。
【００１０】
前述したようにディスクの各領域は設けられているが、次に図１に示したブロック回路図を参照して説明する。図１において、１は電動機２によって回転駆動されるとともにディスク３が載置されるターンテーブル、４はディスク３に光ビームを照射させるレーザー素子が組み込まれているとともにディスク３の信号面より反射される光ビームを受ける光検出器が組み込まれている光学式ピックアップであり、ピックアップ駆動用電動機（図示せず）の回転動作によってディスク３の径方向に変位せしめられるように構成されている。
【００１１】
５は前記光学式ピックアップ４に組み込まれている光検出器から得られるＲＦ信号を増幅するとともに波形成形するＲＦ信号増幅回路、６は前記ＲＦ信号増幅回路５を介して得られる信号に基づいて前記光学式ピックアップ４より投射される光ビームをディスク３の信号面に合焦させるフォーカシング制御動作、該光ビームを前記信号面の信号トラックに追従させるトラッキング制御動作及び該光ビームを隣のトラック等へ移動させるトラックジャンプ動作の制御動作を行うピックアップ制御回路である。
【００１２】
７は前記ＲＦ信号増幅回路５より出力される信号のデジタル信号処理を行うとともに各種信号の復調動作を行うデジタル信号処理回路、８は前記デジタル信号処理回路７にて信号処理されたデジタル信号が入力される信号再生用回路であり、ディスク３に記録されている情報がオーディオ信号である場合には、アナログ信号に変換した後増幅器等に出力し、コンピューターソフトのようなデータ信号の場合にはデジタル信号のままコンピューター装置に出力する作用を成すものである。
【００１３】
９は光ディスク記録再生装置の動作切り換えを行う場合に操作される各動作用のスイッチが組み込まれている操作スイッチ、１０は前記デジタル信号処理回路７により復調された信号が入力されるとともに前記操作スイッチ９の操作に応じて種々な制御動作を行うシステム制御回路であり、後述するレーザー出力値等を記憶するメモリー回路（図示せず）が組み込まれている。１１は前記システム制御回路１０によって動作が制御される電動機駆動回路であり、前記電動機２を角速度一定の状態にて回転駆動制御する作用を有している。
【００１４】
１２は前記光学式ピックアップ４に組み込まれているレーザー素子を駆動するレーザー駆動回路、１３は前記システム制御回路１０によって動作が制御されるレーザー出力設定回路であり、前記レーザー駆動回路１２を制御することによってレーザーの出力を設定するように構成されている。１４は記録信号が入力されるとともにその信号に対応させて前記レーザー駆動回路１２によるレーザーの照射動作を制御することによって信号を前記ディスク３に記録させる信号記録用回路である。１５は前記ＲＦ信号増幅回路５より出力される信号が入力されるとともに該信号のレベルを検出する信号レベル検出回路であり、その検出出力は前記システム制御回路１０に入力されるように構成されている。
【００１５】
斯かる回路構成において、信号の記録動作を行うためにディスク３を光ディスク記録再生装置に設けられているディスク装着部に挿入すると、レーザー出力の設定動作が行われる。斯かるレーザー出力の設定動作は、ディスク３の最内周側に設けられている試し書き領域Ａへのテスト信号の記録動作及び記録されたテスト信号の再生動作、そしてリードアウト領域Ｅの外側にある外周領域Ｆへのテスト信号の記録動作及び記録されたテスト信号の再生動作を行うことによって行われるが、その詳細については後述する。
【００１６】
試し書き領域Ａ及び外周領域Ｆへのテスト信号の記録再生動作によりレーザー出力は設定され、このようにして設定されたレーザー出力によってディスクに設けられているプログラム領域Ｄへの信号の記録動作が開始されるが、信号の記録動作が行われているとき、ディスク３より反射される光の変化をモニターすることによってレーザー駆動回路１２よりレーザー素子に供給される駆動電流の値を変化させて常に記録動作に最適なレーザー出力になるように調整するように構成されている。
【００１７】
以上の如く、本発明に係る光ディスク記録再生装置は構成されているが、次に斯様に構成された回路における再生動作について説明する。操作スイッチ９に設けられている再生用操作スイッチを操作すると、システム制御回路１０による再生動作のための制御動作が開始される。斯かる再生動作が行われる場合には、光学式ピックアップ４に組み込まれているレーザー素子には、信号の読み取り動作を行うためのレーザー出力が得られる駆動電流がレーザー駆動回路１２より供給されるように設定されている。
【００１８】
斯かる再生動作のための制御動作が開始されると、電動機駆動回路１１による電動機２の回転制御動作が行われるとともに光学式ピックアップ４のフォーカス制御動作及びトラッキング制御動作が開始されて該光学式ピックアップ４によるディスク３からの信号の読み取り動作が開始される。斯かる再生動作時におけるディスク３の回転動作は、角速度一定の状態にて行われる。
【００１９】
前記光学式ピックアップ４によって読み取られた信号は、ＲＦ信号増幅回路５を通してデジタル信号処理回路７に入力されて信号の復調動作が行われるが、斯かる信号処理動作等は信号の読み出し位置における線速度に対応して行われる。前記デジタル信号処理回路７により信号処理が行われて情報データが抽出されると、該情報データは誤り訂正等の信号処理が行われた後、信号再生用回路８に印加される。
【００２０】
そして、前記信号再生用回路８は、ディスク３から読み出された情報データがオーディオ信号である場合には、アナログ信号に変換した後増幅器等に出力し、コンピューターソフトのようなデータ信号の場合にはデジタル信号のままコンピューター装置に出力することになる。
【００２１】
以上の如く本実施例における再生動作は行われるが、次に信号の記録動作について説明する。記録用のディスク３を光ディスク記録再生装置に設けられているディスク装着部に挿入すると、後述する試し書き領域Ａ及び外周領域Ｆへのテスト信号の記録再生動作によってレーザー出力値の設定動作が行われる。
【００２２】
斯かるテスト信号の試し書き領域Ａ及び外周領域Ｆへの記録動作及びそのテスト信号の再生動作によってレーザーの出力値が設定されると、信号記録用回路１４より入力される信号の記録動作が開始される。斯かる信号の記録動作は、ディスク３に設けられているプログラム領域Ｄに対して行われることになるが、ディスク３は角速度一定の状態にて回転駆動されるように構成されている。
【００２３】
斯かる記録動作が行われている状態では、光学式ピックアップ４の温度が変化するため、レーザーの出力やレーザーの波長が変化し、ディスク３に対する記録特性が変化することになる。ディスク３に対する記録特性が変化するとディスク面より反射する光が変化するため、その変化を補正するべくレーザー出力設定回路１３によって設定されるレーザーの出力値が変化せしめられる。従って、ディスク３への信号の記録動作を最適なレーザー出力値のままで続けて行うことが出来る。
【００２４】
そして、斯かる信号の記録動作は、操作スイッチ９に設けられている記録停止用スイッチを操作することによって解除されるが、斯かる記録動作の終了は、信号の記録位置等を示す位置情報データ等をバッファ領域Ｂ及びリードイン領域Ｃに記録することによって完了するように構成されている。即ち、斯かる位置情報データを利用して所望の信号の再生動作を開始させたり、次の記録動作を開始させる位置の設定動作を行うことが出来る。
【００２５】
前述したように信号の記録動作は行われるが、次に本発明の要旨であるレーザーの出力設定方法について説明する。記録用のディスクがディスク装着部に装着されると、レーザー出力の設定動作が開始されるが、斯かるレーザー出力の設定動作はレーザー出力を連続的にまたは段階的に変化させてテスト信号を試し書き領域Ａ及び外周領域Ｆに記録した後、記録されたテスト信号の再生動作を行い、再生されたテスト信号の中から最適な状態にて再生されたテスト信号を検出し、その信号に対応したレーザー出力を選択することによって行われる。
【００２６】
前述したようにレーザー出力の試し書き領域Ａ及び外周領域Ｆにおける設定動作は行われるが、斯かるレーザー出力の設定動作は、ディスク３を実際に記録動作を行う回転速度による角速度一定の状態にて回転駆動制御した状態にて行われる。
【００２７】
斯かる回転速度にて駆動された状態にあるディスク３の試し書き領域Ａにテスト信号をレーザー出力を連続的にまたは段階的に変化させて記録するとともにその記録された信号を再生し、その再生されたテスト信号の中から最適な状態にて再生されたテスト信号を検出する。そして、その最適信号として検出された再生信号に対応したレーザー出力値を内周側における最適なレーザー出力値として設定する。このようにして設定されたレーザー出力値は、システム制御回路１０に組み込まれているメモリー回路に内周側のレーザー出力値として記憶される。
【００２８】
斯かる内周側を対象とするレーザー出力の設定動作が終了すると、次にディスク３の回転速度はそのままで光学式ピックアップ４を外周側へ移動させ、ディスク３の外周領域Ｆにテスト信号をレーザー出力を連続的にまたは段階的に変化させて記録するとともにその記録された信号を再生し、その再生されたテスト信号の中から最適な状態にて再生されたテスト信号を検出する。そして、その最適信号として検出された再生信号に対応したレーザー出力値を外周側における最適なレーザー出力値として設定する。このようにして設定されたレーザー出力値は、システム制御回路１０に組み込まれているメモリー回路に外周側のレーザー出力値として記憶される。
【００２９】
このようにして、システム制御回路１０に組み込まれているメモリー回路に内周側の最適値として設定されたレーザー出力値と外周側の最適値として設定されたレーザー出力値とが記憶されることになる。このようにディスク３上の内周側の位置と外周側の位置におけるレーザー出力値が設定されてメモリー回路に記憶されるため、内周側と外周側との間におけるレーザーの出力値は、前記メモリー回路に記憶されている各出力値に基づいて算出することが出来る。そして、内周側と外周側との間におけるレーザーの出力値の算出動作は、ディスク３の特性に対応して前もって設定されているレーザー出力の変化特性に基づいて行われる。
【００３０】
前述したようにレーザーの出力値が設定されるため、ディスク３の回転動作が角速度一定の状態にて記録動作が行われても、即ち内周より外周側に記録位置が変化するに従って線速度が速くなってもその記録位置の速度に最適なレーザー出力値にて信号の記録動作を行うことが出来る。
【００３１】
ディスク３に設けられているプログラム領域Ｄの各位置に対応してレーザー出力値は設定されるが、各位置の検出動作は、ディスク３に設けられているウォブルによって記録されている位置情報データに基づいて行うことが出来る。また、光学式ピックアップ４の位置を機械的に検出することによってディスク３の各位置を検出し、その位置に対応させてレーザー出力値を設定するようにすることも出来る。
【００３２】
内周側のレーザー出力値と外周側のレーザー出力値に基づいてプログラム領域Ｄの各位置に適したレーザー出力値は設定されるが、斯かる設定動作をディスクの記録特性に応じて設定されている算出式に基づいて行うようにすると正確なレーザー出力の設定動作を行うことが出来る。そして、ディスクの記録特性の判別動作は、試し書き領域Ａにテスト信号を記録させ、その記録特性の変化に基づいて行うことが出来る。更に、ディスクのメーカー毎に設定されてディスクに記録されているデータを読み取ることによって記録特性を判別するようにすることも出来る。
【００３３】
前述したようにレーザー出力の設定動作は行われるが、ディスク３の交換が行われたとき、メモリー回路に記憶されているレーザー出力値を示すデータの消去動作を行うように構成すれば、即ちディスクの交換が行われない限りデータが記憶保持されているため記録動作を中断させながら行う場合にレーザーの出力設定動作を再度行う必要がないという利点がある。
【００３４】
また、ディスクの交換をしない場合でも長時間記録動作を再開させない場合には、ディスクの記録特性が変化することがあるため、記録動作終了後所定時間経過した場合にメモリー回路に記憶されているレーザー出力値の消去動作を行うように構成することも出来る。そして、斯かる消去動作が行われた場合には、次の記録動作を再開する前にレーザー出力の設定動作を行うべき状態にあることを指示するメッセージ等を表示させるように構成することも出来る。
【００３５】
【発明の効果】
本発明は、内周側より外周側に向かって試し書き領域、バッファ領域、リードイン領域、プログラム領域及びリードアウト領域が設けられているディスクを角速度一定の状態にて回転させた状態にて信号の記録動作を行うように構成されている光ディスク記録再生装置において、試し書き領域及びリードアウト領域の外側にある外周領域にテスト信号を記録するとともに記録されたテスト信号を再生することによってレーザー出力値の設定動作を行うようにしたので、角速度一定にて回転駆動されるディスクに信号を記録する場合のレーザー出力値を設定する場合に有効である。特に、ディスクの交換が行われるまで前記試し書き領域にて設定されたレーザー出力値及び外周領域にて設定されたレーザー出力値をそれぞれメモリー回路に記憶保持するようにするとともに、記録動作終了後所定時間経過したとき、前記メモリー回路に記憶保持されたレーザー出力値の消去動作を行うようにしたので、同一ディスクに対して記録動作が所定時間行われずに光学式ピックアップの温度変化状況が記録動作時と変化することに伴ってディスクに対する記録特性が変化することにより最適ではないレーザー出力値にて信号の記録動作が行われることを防止することが出来る。
【００４０】
そして、本発明は、ディスクの交換が行われるまで試し書き領域にて設定されたレーザー出力値及び外周領域にて設定されたレーザー出力値を記憶保持するようにしたので、ディスクへの記録動作を中断させながら行う場合に何度もレーザー出力の設定動作を行う必要がなく非常に便利である。
【図面の簡単な説明】
【図１】本発明のレーザー出力設定方法に係る光ディスク記録再生装置の一実施例を示すブロック回路図である。
【図２】本発明に係るディスクの各領域を説明するための図である。
【符号の説明】
２        電動機
３        ディスク
４        光学式ピックアップ
５        ＲＦ信号増幅回路
６        ピックアップ制御回路
７        デジタル信号処理回路
１０        システム制御回路
１２        レーザー駆動回路
１３        レーザー出力設定回路
１５        信号レベル検出回路
【図１】
0003768089.tif 000002
【図２】
0003768089.tif 000003